(57)【要約】【課題】放射線治療の一連の作業の実施データを作成・管理できる放射線治療管理システムを提供する。【解決手段】医療情報システムサーバ１０２は、各装置は患者の識別情報とともに、画像撮影装置１０４で実施された患部画像を撮影した時刻の実施データ、治療計画装置１０５で実施された治療計画を作成した時刻の実施データ、端末装置１０１で実施されたカンファレンスを行った時刻の実施データ、および、前処理を行った時刻の実施データ、補助具製作装置１０６で実施された作製を行った時刻の実施データ、放射線治療装置１０７で実施された照射計画を作成した時刻の実施データ、および、照射を行った時刻の実施データ、および、線量測定を行った時刻の実施データをそれぞれ入力し、各実施データを患者の識別情報毎に収集して放射線治療実施記録データとして作成する。【選択図】図１
2010020503.tif 000002
【特許請求の範囲】
【請求項１】
放射線治療の治療内容の治療計画を作成する治療計画装置と、
上記放射線治療を行うための患部画像を撮影する画像撮影装置と、
上記放射線治療に使用される補助具を作製する補助具作製装置と、
上記放射線治療を行うための放射線を照射し、上記放射線治療の照射計画作成を作成し、上記放射線治療の線量測定を行う放射線治療装置と、
上記治療計画に対するカンファレンスを行った情報および上記放射線治療の前処理を行った情報を入力するための端末装置と、
上記放射線治療の情報を患者の識別情報に基づいて管理する医療情報システム装置とを備えた放射線治療管理システムであって、
上記医療情報システム装置は、
上記画像撮影装置で実施された上記患部画像を撮影した時刻を上記患者の識別情報とともに示す実施データを入力し、
上記治療計画装置で実施された上記治療計画を作成した時刻を上記患者の識別情報とともに示す実施データを入力し、
上記補助具製作装置で実施された上記作製を行った時刻を上記患者の識別情報とともに示す実施データを入力し、
上記端末装置で実施された上記カンファレンスを行った時刻を上記患者の識別情報とともに示す実施データ、および、上記前処理を行った時刻を上記患者の識別情報とともに示す実施データを入力し、
上記放射線治療装置で実施された上記照射計画を作成した時刻を上記患者の識別情報とともに示す実施データ、および、上記照射を行った時刻を上記患者の識別情報とともに示す実施データ、および、上記線量測定を行った時刻を上記患者の識別情報とともに示す実施データを入力し、
上記各実施データを上記患者の識別情報毎に収集して放射線治療実施記録データとして作成することを特徴とする放射線治療管理システム。
【請求項２】
上記医療情報システム装置は、上記実施データが上記放射線治療実施記録データにおいて所定の順番または所定の時間内であるか否かを判定することを特徴とする請求項１に記載の放射線治療管理システム。
【請求項３】
上記医療情報システム装置は、上記実施データ毎の担当者を記録した作業担当者一覧表を有し、上記実施データのいずれかが入力されると当該実施データの完了に伴い実施が可能となる実施データを検出し、上記作業担当者一覧表から上記可能となる実施データが実施可能であること上記作業担当者に通知することを特徴とする請求項１または請求項２に記載の放射線治療管理システム。
【請求項４】
上記画像撮影装置に接続されたワークリストサーバを備え、上記ワークリストサーバが上記画像撮影装置の実施データを取得して上記医療情報システム装置に送信することを特徴とする請求項１ないし請求項３のいずれかに１項に記載の放射線治療管理システム。
【請求項５】
上記補助具のラベルを作成する補助具用ラベル装置を備え、上記補助具用ラベル装置のラベル作成を上記補助具作製装置の実施データとして上記医療情報システム装置に入力することを特徴とする請求項１ないし請求項４のいずれか１項に記載の放射線治療管理システム。
【発明の詳細な説明】
【技術分野】
【０００１】
この発明は、病院等の治療施設において、光子線（Ｘ線、γ線など）、電子線、粒子線（陽子、ネオンイオン、炭素イオン、π中間子、速中性子など）を用いる放射線治療に関する一連の記録を作成・管理する放射線治療管理システムに関するものである。
【背景技術】
【０００２】
従来の病院情報システムは、閉鎖的な範囲の中で記録を作成・管理している。具体的にはシステム利用者が患者受診記録をアクセスする場合について、利用者の識別情報と患者の識別情報とをアクセス記録情報として記録している（例えば、特許文献１参照）。
【０００３】
【特許文献１】特開２００６−１５５２１２号公報
【発明の開示】
【発明が解決しようとする課題】
【０００４】
従来の病院情報システムは、システムの利用者に限ってはアクセス記録を残しているが、治療に関わる一連の作業について、網羅的に記録を作成・管理するように構成されていないため、治療に関わる作業がもれなく正しい順序で実施されているか否かを検証することができない問題点があった。また、病院情報システムを用いた作業に関してはシステム利用者の操作をきっかけにして記録を作成・管理することはできても、病院情報システムを用いない作業については記録を作成できない、あるいは、当該作業を行うシステムで記録を作成していても、一元的に管理できない問題点があった。
【０００５】
この発明は上記のような課題を解決するためになされたものであり、放射線治療に関わる一連の作業の実施データを作成・管理できる放射線治療管理システムを提供することを目的とする。
【課題を解決するための手段】
【０００６】
この発明は、放射線治療の治療内容の治療計画を作成する治療計画装置と、
放射線治療を行うための患部画像を撮影する画像撮影装置と、
放射線治療に使用される補助具を作製する補助具作製装置と、
放射線治療を行うための放射線を照射し、放射線治療の照射計画作成を作成し、放射線治療の線量測定を行う放射線治療装置と、
治療計画に対するカンファレンスを行った情報および放射線治療の前処理を行った情報を入力するための端末装置と、
放射線治療の情報を患者の識別情報に基づいて管理する医療情報システム装置とを備えた放射線治療管理システムであって、
医療情報システム装置は、
画像撮影装置で実施された患部画像を撮影した時刻を患者の識別情報とともに示す実施データを入力し、
治療計画装置で実施された治療計画を作成した時刻を患者の識別情報とともに示す実施データを入力し、
端末装置で実施されたカンファレンスを行った時刻を患者の識別情報とともに示す実施データ、および、前処理を行った時刻を患者の識別情報とともに示す実施データを入力し、
補助具製作装置で実施された作製を行った時刻を患者の識別情報とともに示す実施データを入力し、
放射線治療装置で実施された照射計画を作成した時刻を患者の識別情報とともに示す実施データ、および、照射を行った時刻を患者の識別情報とともに示す実施データ、および、線量測定を行った時刻を患者の識別情報とともに示す実施データを入力し、
各実施データを患者の識別情報ごとに収集して放射線治療実施記録データとして作成するものである。
【発明の効果】
【０００７】
この発明の放射線治療管理システムは、放射線治療の治療内容の治療計画を作成する治療計画装置と、
放射線治療を行うための患部画像を撮影する画像撮影装置と、
放射線治療に使用される補助具を作製する補助具作製装置と、
放射線治療を行うための放射線を照射し、放射線治療の照射計画作成を作成し、放射線治療の線量測定を行う放射線治療装置と、
治療計画に対するカンファレンスを行った情報および放射線治療の前処理を行った情報を入力するための端末装置と、
放射線治療の情報を患者の識別情報に基づいて管理する医療情報システム装置とを備えた放射線治療管理システムであって、
医療情報システム装置は、
画像撮影装置で実施された患部画像を撮影した時刻を患者の識別情報とともに示す実施データを入力し、
治療計画装置で実施された治療計画を作成した時刻を患者の識別情報とともに示す実施データを入力し、
端末装置で実施されたカンファレンスを行った時刻を患者の識別情報とともに示す実施データ、および、前処理を行った時刻を患者の識別情報とともに示す実施データを入力し、
補助具製作装置で実施された作製を行った時刻を患者の識別情報とともに示す実施データを入力し、
放射線治療装置で実施された照射計画を作成した時刻を患者の識別情報とともに示す実施データ、および、照射を行った時刻を患者の識別情報とともに示す実施データ、および、線量測定を行った時刻を患者の識別情報とともに示す実施データを入力し、
各実施データを患者の識別情報ごとに収集して放射線治療実施記録データとして作成するので、放射線治療の一連の作業の実施データを作成・管理できる
【発明を実施するための最良の形態】
【０００８】
実施の形態１．
以下、本願発明の実施の形態について説明する。図１はこの実施の形態１における放射線治療管理システムの構成を示した図、図２は図１に示した放射線治療管理システムの医療情報システムサーバの構成を示す図、図３は図１に示した放射線治療管理システムの画像装置の構成を示す図、図４は図１に示した放射線治療管理システムの治療計画装置の構成を示す図、図５は図１に示した放射線治療管理システムの補助具作製装置の構成を示す図、図６は図１に示した放射線治療管理システムの放射線治療装置の構成を示す図、図７は図１に示した放射線治療管理システムが用いられる放射線治療の作業を示したフローチャート、図８は図１に示した放射線治療管理システムの治療計画装置の表示画面の例を示した図、図９は図１に示した放射線治療管理システムの端末装置の表示画面の例を示した図、図１０は図１に示した放射線治療管理システムの放射線治療装置の表示画面の例を示した図、図１１は図１に示した放射線治療管理システムの端末装置の表示画面の例を示した図、図１２は図１に示した放射線治療管理システムにより作成された放射線治療実施記録データの例を示した図である。
【０００９】
図において、放射線治療管理システムは、通信網としてのＬＡＮ１１０に、端末装置１０１と、医療情報システム装置としての医療情報システムサーバ１０２と、画像撮影装置１０４と、治療計画装置１０５と、補助具作製装置１０６と、放射線治療装置１０７と、Ｐｉｃｔｕｒｅ  Ａｒｃｈｉｖｉｎｇ  Ｃｏｍｍｕｎｉｃａｔｉｏｎ  Ｓｙｓｔｅｍサーバ（以下、ＰＡＣＳサーバと称す）１０８とがそれぞれ接続され構成されている。そして、医療情報システムサーバ１０２には第１のデータベース１０３が、ＰＡＣＳサーバ１０８には第２のデータベース１０９がそれぞれ備えられている。第１のデータベース１０３は放射線治療管理システムが取り扱う患者の情報を患者の識別情報に基づいて格納されている。
【００１０】
医療情報システムサーバ１０２は図２に示すように、受信した通信データから放射線治療実施記録データの作成に必要なデータを抽出して加工するデータ加工部５０１と、第１のデータベース１０３にデータを書き込むデータベース制御部５０３と、端末装置１０１の要求により、データベース制御部５０３を介して第１のデータベース１０３から放射線治療実施記録データを読み込み表示するデータ表示部５と、ＬＡＮ１１０に接続され、通信データの生成・解読等の制御を行う通信制御部５０４とを備えている。
【００１１】
画像撮影装置１０４は放射線治療を行うための患部画像を撮影し、患者の識別情報とともに患部画像を撮影した時刻を示す実施データを出力する装置であり、ＣＴ（Ｃｏｍｐｕｔｅｄ  Ｔｏｍｏｇｒａｐｈｙ）やＭＲＩ（Ｍａｇｎｅｔｉｃ  Ｒｅｓｏｎａｎｃｅ  Ｉｍａｇｉｎｇ）、ＰＥＴ（Ｐｏｓｉｔｒｏｎ  Ｅｍｉｓｓｉｏｎ  Ｔｏｍｏｇｒａｐｈｙ）などのように患者の患部の撮影に用いる機器にて形成されている。そして、図３に示すように、患者の患部の撮影を行う画像撮影部４０１と、患者名や患者のＩＤの入力を行うデータ入力部４０２と、入力されたデータが表示するデータ表示部４０３と、ＬＡＮ１１０に接続され、通信データの生成・解読等の制御を行う通信制御部４０４とを備えている。
【００１２】
治療計画装置１０５は撮影した画像に基づいて治療計画を作成し、患者の識別情報とともに治療計画を作成した時刻を示す実施データを出力する装置である。そして、図４に示すように、患者名や患者のＩＤの入力を行うデータ入力部６０２と、入力されたデータを表示するためのデータ表示部６０３と、データを入力・確認しながら治療計画を作成する治療計画作成部６０１と、ＬＡＮ１１０に接続され、通信データの生成・解読等の制御を行う通信制御部６０４とを備えている。
【００１３】
補助具作製装置１０６は放射線治療を行う際に、正常細胞への曝射を抑えるボーラスやコリメータなどの補助具を作製し、患者の識別情報ととも作製を行った時刻を示す実施データを出力する装置である。そして、図５に示すように、患者名や患者の識別情報の入力を行うためのデータ入力部９０２と、放射線治療補助具の加工データが表示されるデータ表示部９０３と、治療計画承認により治療計画装置１０５から送られてくるボーラスやコリメータ等の放射線治療補助具の加工データを格納する第３のデータベース９０５と、加工データを元に放射線治療補助具を加工する加工部９０１と、ＬＡＮ１１０に接続され、通信データの生成・解読等の制御を行う通信制御部９０４とを備えている。
【００１４】
放射線治療装置１０７は放射線治療の照射計画作成を作成し、また、放射線治療の線量測定を行い、また、放射線治療のために患者の患部に放射線の照射を行うものである。さらに、患者の識別情報とともに照射計画を作成した時刻を示す実施データ、および、患者の識別情報とともに線量測定を行った時刻を示す実施データ、および、患者の識別情報とともに照射を行った時刻を示す実施データを出力する装置である。そして、例えばＸ線を用いるリニアック装置や粒子線を用いる粒子線治療装置にて構成される。そして、図６に示すように、患者名や患者の識別情報の入力を行うためのデータ入力部１２０２と、照射する放射線のデータが表示されるデータ表示部１２０３と、治療計画承認により治療計画装置１０５から送られてくる放射線照射データおよび作成した照射計画を格納する第４のデータベース１２０５と、照射計画に基づいて患者に放射線を照射する放射線照射部１２０１と、ＬＡＮ１１０に接続され、通信データの生成・解読等の制御を行う通信制御部１２０４とを備えている。
【００１５】
ＰＡＣＳサーバ１０８は画像撮影装置１０４で撮影した画像を保管・管理する画像管理サーバで、撮影された画像を格納するための第２のデータベース１０９を有している。端末装置１０１は、放射線治療に対するカンファレンスを行った情報および放射線治療の前処理を行った情報を入力するためのものであり、患者の情報を他の装置から参照したり書き込みしたりすることが可能である。
【００１６】
次に上記のように構成された実施の形態１の放射線治療管理システムの動作について説明する。まずここで、病院等の医療機関における放射線治療の作業の流れを、図７に基づいて説明する。まず、医師は患者を診察し、診察結果から最適な治療方法を選択し、患者に説明を行い、患者の同意を得た上で、治療方法を決定する（ステップＳ３０１）。次に、画像撮影装置１０４により治療計画を作成するために必要となる患部の画像を撮影する（ステップＳ３０２）。次に、撮影した画像を参照しながら、放射線を照射する部位を決定し、照射線量と照射回数とに基づいて必要な線量が正しく治療部位に分布されているかを確認し、治療計画を作成する（ステップＳ３０３）。
【００１７】
次に、医師、放射線技師、医学物理士、看護師等の医療スタッフでカンファレンスを開催し、作成した治療計画に問題ないかどうかを確認する（ステップＳ３０４）。図８はこの図７の作業フローのカンファレンス（ステップＳ３０４）を実現する端末装置１０１の表示画面の例である。患者の識別情報（図中においては、患者の識別情報を患者ＩＤとして示す。以下の場合も同様に示しているためその説明は適宜省略する）７０１には該当する患者の識別情報を入力後、作成した計画を承認する場合は承認ボタン７０２、否認する場合は否認ボタン７０３を押す。
【００１８】
次に、治療計画が承認されると、治療計画に基づき照射を行う日時を定める照射計画を作成する（ステップＳ３０５）。図９は図７の作業フローの照射計画作成（ステップＳ３０５）を実現する端末装置１０１の表示画面の例である。患者の識別情報８０１に該当する患者の識別情報を入力後、照射計画作成を作成するために、照射計画作成ボタン８０２を押すと、放射線治療装置１０７にて作成された照射計画８０３が表示される。次に、並行して治療計画で定められたボーラスやコリメータ等の放射線治療補助具を作製する（ステップＳ３０６）。
【００１９】
次に、放射線治療装置１０７に治療計画で定められたパラメータを設定し、治療計画通りの線量が照射されるかどうかの線量測定を行う（ステップＳ３０７）。図１０は図７の作業フローの線量測定（ステップＳ３０７）を実現する放射線治療装置１０７の表示画面の例である。患者の識別情報１００１に該当する患者の識別情報を入力後、必要な測定値を入力し、確認ボタン１００２を押す。次に、治療当日、患者が来院後、照射に必要な前処置を行う（ステップＳ３０８）。図１１は図７の作業フローの前処理（ステップＳ３０８）を実現する端末装置１０１の表示画面の例である。患者の識別情報１１０１に該当する患者の識別情報を入力し、必要な前処置の実施状況を確認後、確認確認ボタン１１０２を押す。次に、放射線治療装置１０７により患者の患部への放射線の照射を行う（ステップＳ３０９）。そして通常は、放射線の照射は複数日に分けて行うため、上記に示したステップＳ３０７、ステップＳ３０８、ステップＳ３０９は複数回実施されることとなる。
【００２０】
次に図７の作業フローの各装置の動作について説明する。まず、診察が行われる。次に、画像撮影装置１０４では、放射線技師が患者の患者名や患者の識別情報をデータ表示部４０３にて確認しながらデータ入力部４０２から入力した後、画像撮影部４０１を用いて撮影対象の患部の撮影を行う。そして、撮影が行われると、画像撮影部４０１は通信制御部４０４に通知を行う。そして通信制御部４０４はデータ入力部４０２から患者の識別情報を取得し、現在の時刻情報から撮影時刻を付加した後、医療情報システムサーバ１０２へ画像撮影の実施データとして送信される。
【００２１】
次に、医療情報システムサーバ１０２は通信制御部５０４が実施データを受け取ると、データ加工部５０１に通知する。そしてデータ加工部５０１は受信した実施データから患者の識別情報と撮影時刻とを抽出し、第１のデータベース１０３に格納している患者の識別情報ごとに用意した放射線治療実施記録データを、データベース制御部５０３を介して読み出し、該当する作業内容と実施時刻とを記録する。次に、交信された放射線治療実施記録データは再びデータベース制御部５０３を介して第１のデータベース１０３に格納される。尚、医療情報システムサーバ１０２における実施データを受け取る場合の動作は以下の作業においても同様に行うため、医療情報システムサーバ１０２の実施データの受け取りの動作は適宜省略する。
【００２２】
次に、治療計画装置１０５では、医師が患者名や患者の識別情報をデータ表示部６０３にて確認しながらデータ入力部６０２から入力した後、治療計画を作成する。そして治療計画作成が行われると、治療計画作成部６０１は通信制御部６０４に通知を行う。そして、通信制御部６０４はデータ入力部６０２から患者の識別情報を取得し、現在の時刻情報を計画時刻として付加した後、医療情報システムサーバ１０２へ治療計画作成の実施データとして送信される。そして、医療情報システムサーバ１０２における実施データが送信された以後の処理は上記に示した場合と同様に行われる。
【００２３】
次に、端末装置１０１では、カンファレンス対象の患者の識別情報７０１を入力した後、治療計画装置１０５にて作成した治療計画を表示する。次に、医師、放射線技師、医学物理士、看護師等の医療スタッフが治療計画を確認し、問題がないと判断すると、医師は承認ボタン７０２を押す。そして、端末装置１０１は承認ボタン７０２が押されると、現在の時刻情報を承認時刻として付加した後、医療情報システムサーバ１０２へカンファレンスの実施データとして送信される。そして、医療情報システムサーバ１０２における実施データが送信された以後の処理は上記に示した場合と同様に行われる。
【００２４】
次に、放射線技師が端末装置１０１で照射計画作成対象の患者の識別情報８０１と患者の治療日時要望を入力し、照射計画作成ボタン８０２を押す。次に、放射線治療装置１０７では、端末装置１０１からの治療日時要望を参考に、患者の識別情報がデータ入力部１２０２に入力され、照射計画８０３を作成する。そして、通信制御部１２０４はデータ入力部１２０２から患者の識別情報を取得し、現在の時刻情報を作成時刻とし付加した後、医療情報システムサーバ１０２へ照射計画作成の実施データとして送信される。また、照射計画８０３は端末装置１０１に送信され表示される。そして、医療情報システムサーバ１０２における実施データが送信された以後の処理は上記に示した場合と同様に行われる。
【００２５】
次に、補助具作製装置１０６では、放射線技師が患者の患者名や患者の識別情報をデータ表示部９０３にて確認しながらデータ入力部９０２から入力した後、該当する患者の放射線治療補助具の加工データを第３のデータベース９０５から読み出し、データ表示部９０３で確認した後、加工部９０１を操作し、補助具の作製を開始する。加工部９０１は作製が終了すると、通信制御部９０４に通知を行う。次に、通信制御部９０４はデータ入力部９０２から患者の識別情報を取得し、現在の時刻情報を加工完了時刻として付加した後、医療情報システムサーバ１０２へ補助具作製の実施データとして送信される。そして、医療情報システムサーバ１０２における実施データが送信された以後の処理は上記に示した場合と同様に行われる。
【００２６】
次に、放射線治療装置１０７では、放射線技師が線量測定対象の患者の識別情報１００１をデータ表示部１２０３にて確認しながらデータ入力部１２０２に入力した後、線量の補正に必要な気温、気圧、照射線量を入力する。次に、放射線治療装置１０７は所定の演算を行い、線量モニタ補正値を出力（画面表示）する。次に、放射線技師は線量モニタプリセット値と照合し、妥当な出力値を確認後、確認ボタン１００２を押す。次に、通信制御部１２０４は現在の時刻情報を線量測定時刻とし、患者の識別情報とともに、医療情報システムサーバ１０２へ線量測定の実施データとして送信される。そして、医療情報システムサーバ１０２における実施データが送信された以後の処理は上記に示した場合と同様に行われる。
【００２７】
次に、端末装置１０１では、看護師が前処置対象の患者の識別情報１１０１を入力し、必要な前処置を画面に表示する。看護師は必要な前処置を参照し、完了していることを確認すると、確認完了ボタン１１０２を押す。端末装置１０１はボタンが押されると、現在の時刻情報を前処置完了日時とし、患者の識別情報とともに、医療情報システムサーバ１０２へ前処理の実施データとして送信される。そして、医療情報システムサーバ１０２における実施データが送信された以後の処理は上記に示した場合と同様に行われる。
【００２８】
次に、放射線治療装置１０７では、放射線技師が患者の患者名や患者の識別情報をデータ入力部１２０２から入力し、該当する患者の放射線照射データを第４のデータベース１２０５から読み出し、データ表示部１２０３で確認した後、放射線照射部１２０１を操作し、患者に放射線を照射する。放射線照射部１２０１は線量モニタ補正値（線量測定のステップＳ３０７にて測定した状態）に達すると、放射線の照射を終了させ、通信制御部１２０４に通知を行う。通信制御部１２０４はデータ入力部１２０２から患者の識別情報を取得すると、現在の時刻情報を照射日時として付加した後、医療情報システムサーバ１０２へ照射の実施データとして送信される。そして、医療情報システムサーバ１０２における実施データが送信された以後の処理は上記に示した場合と同様に行われる。
【００２９】
次に、上記により生成された放射線治療実施記録データを読み出す動作について説明する。作業により発生した実施データは医療情報システムサーバ１０２の第１のデータベース１０３に格納される。そして医師、放射線技師、医学物理士、看護師等の医療スタッフは、端末装置１０１において、参照したい患者の識別情報を入力すると、端末装置１０１はＬＡＮ１１０を介して医療情報システムサーバ１０２に要求を行う。次に、医療情報システムサーバ１０２は通信制御部５０４がデータを受け取ると、データ加工部５０１に通知する。次に、データ加工部５０１は受信した通信データから患者の識別情報を抽出し、データベース制御部５０３を介して第１のデータベース１０３に格納している放射線治療実施記録データを読み出す。次に、通信制御部５０４は通信制御部５０４が読み出した、治療に関わる一連の作業である作業内容２０１と、それぞれの作業内容２０１に対し実施時刻２０２とが示されている放射線治療実施記録データを受け取ると、要求元の端末装置１０１へ応答する。このようにして、放射線治療実施記録データが端末装置１０１に表示される。
【００３０】
上記のように構成された実施の形態１の放射線治療管理システムによれば、様々な作業者が別々にて行う作業が実施されたか否かを、放射線治療における一連の作業における記録を作成・管理するのを、放射線治療実施記録データを確認することで、治療中のもれを容易に確認することができる。また、放射線治療実施記録データを複数の医療スタッフ間の共有することにより、自分の担当作業が発生するまでの作業進捗状況が容易に判断することができるため、作業間の待ち時間を短縮することができる。さらには、治療後に放射線治療実施記録データを検証することで、どの作業にどのぐらいの時間を要しているかを分析し、さらに効率的な治療に役立てることができる。
【００３１】
尚、上記実施の形態１では作業を実施する度に実施記録を医療情報システムサーバに送信し、第１のデータベースに放射線治療実施記録データを生成・格納することとしたが、これに限られることはなく、例えば、図１３に示すように、第１のデータベース１０３を除き、端末装置１０１、画像撮影装置１０４、治療計画装置１０５、補助具作製装置１０６、放射線治療装置１０７の各装置の実施データ１３０１を保管させるように構成し、必要なとき端末装置１０１の指示より医療情報システムサーバ１０２が抽出して上記実施の形態１と同様に放射線治療実施記録データを作成してもよいことは言うまでもない。
【００３２】
この場合、端末装置１０１から放射線治療実施記録データを読み出すときに、該当する患者の識別情報の実施データを端末装置１０１から要求し、この要求に基づいて、医療情報システムサーバ１０２が、画像撮影装置１０４、治療計画装置１０５、補助具作製装置１０６、放射線治療装置１０７の実施データ１３０１を抽出し取得して放射線治療実施記録データを作成し端末装置１０に送信することとなる。このように構成することにより、放射線治療実施記録データの表示には時間を要するものの、第１のデータベース１０３の構成が不要となり、安価なシステムが構築できる。
【００３３】
実施の形態２．
図１４はこの発明の実施の形態２における放射線治療管理システムの医療情報システムサーバの構成を示す図である。図において、上記実施の形態１と同様の部分は同一符号を付して説明を省略する。また、医療情報システムサーバ１０２以外の構成については、上記実施の形態１の図１にして示したものと同様であるため説明を省略する。医療情報システムサーバ１０２は、作業順序比較部１４０１を備えている。第１のデータベース１０３には実施可能条件表が格納されている。作業順序比較部１４０１は、第１のデータベース１０３に格納されている実施可能条件表を読み出し、作業の実施にあたり、作業の実施に必要な条件を比較して判定するものである。
【００３４】
図１５は図１４に示した医療情報システムサーバ１０２の第１のデータベース１０３に格納されている作業の実施に必要な条件を示した実施可能条件表である。実施可能条件表とは、図に示すように、作業内容１５０１ごとに実施可能条件１５０２が定義されているものである。そして、実施可能条件１５０２は「○」の作業が完了していないと実施に移れないことを示し、「−」の作業は完了の有無に関わらず作業が行えることを示す。尚、Ｓ３０２〜Ｓ３０９とは、上記実施の形態１の図７にて示した各ステップの作業を示すものとする。
【００３５】
次に、上記のように構成された実施の形態２の放射線治療管理システムの動作について図１６に基づいて説明する。ここでは、上記実施の形態１の図７にて示した補助具作製（ステップＳ３０６）における作業順書比較部１４０１での比較動作について説明する。尚、放射線治療実施記録データを作成する動作は上記実施の形態１と同様であるため省略す。まず、放射線技師が補助具作製装置１０６において患者の患者名や患者の識別情報をデータ入力部９０２から入力すると、データベース入力部９０２は通信制御部９０４に通知を行う。次に、通信制御部９０４はデータ入力部９０２から患者の識別情報を取得し、自身のステップ情報（ここでは補助具作製のステップＳ３０６）を付加した比較対象データを作成する（図１６のステップＳ１６０１）。
【００３６】
次に、医療情報システムサーバ１０２へ比較対象データを送信する（図１６のステップＳ１６０２）。次に、医療情報システムサーバ１０２の通信制御部５０４は比較対象データを受信する（図１６のステップＳ１６０３）。次に、作業順序比較部１４０１に通知を行う。次に、作業順序比較部１４０１は第１のデータベース１０３に格納されている実施可能条件表を読み出し、図７の補助具作製（ステップＳ３０６）を実施するためには図７の画像撮影（ステップＳ３０２）、治療計画作成（ステップＳ３０３）、カンファレンス（ステップＳ３０４）の各作業が実施され完了していることが必要条件（照射計画作成のステップＳ３０６が実施されているかは、この場合必要条件ではない）であることを取得する（図１６のステップＳ１６０４）。
【００３７】
次に、患者の識別情報から該当する第１のデータベース１０３に格納されている放射線治療実施記録データを読み出す（図１６のステップＳ１６０５）。次に、これら両者を比較判定することで、実施に必要な条件が整っているかどうかを判定する（図１６のステップＳ１６０６）。次に、判定結果が通信制御部５０４に通知されると、応答データを作成する（図１６のステップＳ１６０７）。次に、ＬＡＮ１１０を介して、補助具作製装置１０６へデータを送信する（図１６のステップＳ１６０８）。次に、補助具作製装置１０６の通信制御部９０４はデータを受信する（図１６のステップＳ１６０９）。
【００３８】
次に、この通知は通信制御部９０４を経由して、データベース表示部９０３に伝えられる。そして、結果判定がＯＫかＮＧのいずれであるかを判断する（図１６のステップＳ１６１０）。次に、条件を満たしていない（ＮＧ）場合には、データ表示部９０３にその旨が表示され、必要な作業が完了していないことが警告される（図１６のステップＳ１６１１）。尚、ここでは図７における作業の内、補助具作製（ステップＳ３０６）について示したが、これに限られることはなく、他の作業（ステップ）においても同様に作業順序比較部１４０１にて図１５に示した実施可能条件表を参照にして比較判定できることは言うまでもなく、その説明は適宜省略する。
【００３９】
上記のような実施の形態２の放射線治療管理システムによれば、作業開始時に当該作業以前に必要な作業にもれがないかを判定の上、表示するので、作業もれによる医療事故や作業の手戻りを防ぐことができる。また、作業もれの比較を図１５に示すような実施可能条件表にて行っているため、放射線治療の作業フローに見直しが生じたとしても、容易に変更する可能である。
【００４０】
尚、実施可能条件表は図１５に示した例に限られることはなく、必要な作業項目に加えて経過時間を管理するようにしてもよいことは言うまでもない。例えば、画像撮影（ステップＳ３０２）から治療計画（ステップＳ３０３）までの時間間隔が所定時間以上経過している場合、所定時間以上に経過することにより患部の状態が変化している可能性があると考えられ、画像撮影自体からやり直す必要が生じる場合など、条件を満たしていないと判定することが考えられる。
【００４１】
実施の形態３．
図１７はこの発明の実施の形態３における放射線治療管理システムの医療情報システムサーバの構成を示す図である。図において、上記各実施の形態と同様の部分は同一符号を付して説明を省略する。また、医療情報システムサーバ１０２以外の構成については、上記実施の形態１の図１にして示したものと同様であるため説明を省略する。医療情報システムサーバ１０２はメール作成部１７０１を備えている。第１のデータベース１０３には作業担当者一覧表が格納されている。メール作成部１７０１は、第１のデータベース１０３に格納されている作業担当者一覧表を読み出し、作業可能な作業の担当者宛てにメールを作成し、送信するものである。図１８は図１７に示した医療情報システムサーバ１０２の第１のデータベース１０３に格納されている作業担当者一覧表である。作業担当者一覧表とは、図に示すように、作業内容（実施データ）１８０１ごとに、作業担当者１８０２と、当該担当者のメールアドレス１８０３とが、保存されているものである。
【００４２】
次に、上記のように構成された実施の形態３の放射線治療管理システムの動作について説明する。尚、放射線治療実施記録データを作成する動作など他の動作は上記各実施の形態と同様であるため省略する。医療情報システムサーバ１０２は、端末装置１０１、画像撮影装置１０４、治療計画装置１０５、補助具作製装置１０６、放射線治療装置１０７から実施データを受信し、放射線治療実施記録データに記録すると、メール作成部１７０１は実施可能条件表（上記実施の形態２の図１５にて示したもの）を読み出す。次に、受信した実施データから該当の作業内容（実施データ）を取り出すと、上記作業内容の完了に伴い、作業が可能となる作業内容（実施が可能となる実施データ）を抽出する。次に、第１のデータベース１０３にあらかじめ格納されている作業担当一覧表から上記にて可能となった作業内容（実施が可能となる実施データ）に対応する作業担当者１８０２とメールアドレス１８０３とを読み出し、作業内容（実施データ）と対象の患者の識別情報とからなるメールを作成する。次に、メール作成部１７０１はメール作成後、通信制御部５０４を介して、ＬＡＮ１１０を介してメールを送出し作業者に通知する。
【００４３】
上記のように構成された実施の形態３の放射線治療管理システムによれば、上記各実施の形態と同様の効果を奏するのはもちろんのこと、作業を実施する度に発生する実施記録により、次作業の担当者に作業開始可能をメールで通知するため、次作業の担当者は即座に作業に着手することができるので、作業時間の短縮や作業実施の忘れの防止が可能となる。
【００４４】
実施の形態４．
図１９はこの発明の実施の形態４における放射線治療管理システムの医療情報システムサーバの構成を示す図である。図において、上記各実施の形態と同様の部分は同一符号を付して説明を省略する。上記各実施の形態においては、画像撮影において実施データは画像撮影装置１０４が医療情報システムサーバ１０２に送信する場合を示したが、本実施の形態３においては、図１９に示すように、ワークリストサーバ１９０１を設け、医療情報システムサーバ１０２はワークリストサーバ１９０１を経由して医療情報システムサーバ１０２に実施データを送信する。
【００４５】
患部の画像を撮影において、ＤＩＣＯＭ（Ｄｉｇｉｔａｌ  Ｉｍａｇｉｎｇａｎｄ  Ｃｏｍｍｕｎｉｃａｔｉｏｎｓｉｎ  Ｍｅｄｉｃｉｎｅ）規格が広まりつつあり、ＤＩＣＯＭ規格をサポートしていれば、画像撮影装置はＭＷＭ（Ｍｏｄａｌｉｔｙ  Ｗｏｒｋ  ｌｉｓｔ  Ｍａｎａｇｅｍｅｎｔ）に則り患者氏名、患者の識別情報、撮影部位等の撮影指示情報を参照し、ＭＰＰＳ（ＭｏｄａｌｉｔｙＰｅｒｆｏｒｍｅｄＰｒｏｃｅｄｕｒｅＳｔｅｐ）に則り撮影実施情報を通知することができる。
【００４６】
本実施の形態４における図１９は、ＤＩＣＯＭ規格をサポートした場合の構成図を示しており、ワークリストサーバ１９０１を備えている。画像撮影装置１０４はワークリストサーバ１９０１内に用意されるワークリストと呼ばれる撮影指示情報を参照し、撮影が終わると画像をＰＡＣＳサーバ１０８に送信するとともに、撮影実施情報をワークリストサーバ１９０１に格納する。
【００４７】
まず、放射線技師はワークリストサーバ１９０１に撮影指示情報を入力する（図２０のステップＳ２００１）と、ワークリストサーバ１９０１はワークリストを作成する（図２０のステップＳ２００２）。次に、画像撮影装置１０４は撮影に先立ち、ワークリストサーバ１９０１からＭＷＭに則りデータを取得する（図２０のステップＳ２００３）。次に、放射線技師は画像撮影装置１０４が取得した撮影指示情報を参照する（図２０のステップＳ２００４）。次に、患者の患部の撮影を実施する（図２０のステップＳ２００５）。
【００４８】
次に、撮影が終わると、画像撮影装置１０４は撮影した画像をＰＡＣＳサーバ１０８に送信する（図２０のステップＳ２００６）。次に、実施データを生成する（図２０のステップＳ２００７）。次に、ＭＰＰＳに則りワークリストサーバ１９０１に通知する（図２０のステップＳ２００８）。次に、実施データの通知を受けたワークリストサーバ１９０１は自身にデータを格納する（図２０のステップＳ２００９）。次に、医療情報システムサーバ１０２はワークリストサーバ１９０１が格納した実施データを参照する（図２０のステップＳ２０１０）。次に、患者の識別情報と撮影日時を抽出すると、第１のデータベース１０３に格納している患者ごとに用意した放射線治療実施記録データから該当する作業内容２０１の実施時刻２０２に撮影日時を記録する（図２０のステップＳ２０１１）。
【００４９】
上記のように構成された実施の形態４の放射線治療管理システムによれば、上記各実施の形態と同様の効果を奏するのはもちろんのこと、ＤＩＣＯＭ規格に準じたワークリストサーバを設けることにより、画像撮影装置から実施データを容易に取得できるため、画像撮影装置にデータ入力部、データ表示部、通信制御部などが不要となり、より簡便なシステムの構成が可能となる。
【００５０】
実施の形態５．
図２１はこの発明の実施の形態５における放射線治療管理システムの構成を示す図である。図において、上記各実施の形態と同様の部分は同一符号を付して説明を省略する。上記各実施の形態では、補助具作製における実施データは補助具作製装置１０６が医療情報システムサーバ１０２に送信する例について示したが、本実施の形態５においては図２２に示すように、ＬＡＮ１１０に接続された補助具用ラベル装置２２０１を備え、端末装置１０１にて治療補助具に貼り付けるラベル印刷指示用の画面を備え、端末装置１０１がラベル印刷を指示したこと、すなわち補助具用ラベル装置２２０１がラベル作成を行ったことを、医療情報システムサーバ１０２に補助具作製の実施データとして送信するものである。
【００５１】
よって、補助具作製装置１０６はＬＡＮ１１０から切り離されたものである。尚、放射線治療の補助具の作製するために補助具作製装置１０６は必須であるので、補助具作製装置１０６が不要となったわけでなく、ＬＡＮ１１０との接続がオフラインに変更となっているものである。
【００５２】
次に上記のように構成された実施の形態５の動作について説明する。まず、放射線技師は補助具作製装置１０６を用いて、放射線治療補助具を作成すると、どの患者用に作製したものか区別するために、患者名と患者の識別情報とが少なくても記載されたラベルを印刷し、補助具に貼り付ける。そして、端末装置１０１のラベル印刷用画面を開き、患者の識別情報２１０１を入力し、ボーラス用ラベル印刷ボタン２１０２あるいは患者コリメータ用ラベル印刷ボタン２１０３を押すと、端末装置１０１は患者の識別情報に現在の時刻情報を加工完了日時として付加した後、医療情報システムサーバ１０２へ補助具作製の実施データとして送信する。他の動作は上記各実施の形態と同様であるため説明を省略する。
【００５３】
上記のように構成された実施の形態５の放射線治療管理システムによれば、上記各実施の形態と同様の効果を奏するのはもちろんのこと、補助具作製装置のラベル印刷画面を端末装置に設け、端末装置が補助具に貼り付けるラベルの印刷を指示することにより、補助具作製の実施データとして送信する。よって、補助具作製装置をＬＡＮに接続する必要がなくなるため、補助具作製装置にデータ入力部、データ表示部、通信制御部が不要となり、より簡便なシステムの構成が可能となる。
【図面の簡単な説明】
【００５４】
【図１】この発明の実施の形態１をおける放射線治療管理システムの構成を示す図である。
【図２】図１に示した放射線治療管理システムの医療情報システムサーバの構成を示す図である。
【図３】図１に示した放射線治療管理システムの画像装置の構成を示す図である。
【図４】図１に示した放射線治療管理システムの治療計画装置の構成を示す図である。
【図５】図１に示した放射線治療管理システムの補助具作製装置の構成を示す図である。
【図６】図１に示した放射線治療管理システムの放射線治療装置の構成を示す図である。
【図７】図１に示した放射線治療管理システムが用いられる放射線治療の作業を示したフローチャートである。
【図８】図１に示した放射線治療管理システムの治療計画装置の表示画面の例を示した図である。
【図９】図１に示した放射線治療管理システムの端末装置の表示画面の例を示した図である。
【図１０】図１に示した放射線治療管理システムの放射線治療装置の表示画面の例を示した図である。
【図１１】図１に示した放射線治療管理システムの端末装置の表示画面の例を示した図である。
【図１２】図１に示した放射線治療管理システムにより作成された放射線治療実施記録データの例を示した図である。
【図１３】この発明の実施の形態１をおける他の放射線治療管理システムの構成を示す図である。
【図１４】この発明の実施の形態２における放射線治療管理システムの医療情報システムサーバの構成を示した図である。
【図１５】図１４に示した放射線治療管理システムにおける実施可能条件表を示した図である。
【図１６】図１４に示した放射線治療管理システムの動作を示したフローチャートである。
【図１７】この発明の実施の形態３における放射線治療管理システムの医療情報システムサーバの構成を示した図である。
【図１８】図１７に示した放射線治療管理システムの作業担当一覧表を示した図である。
【図１９】この発明の実施の形態４における放射線治療管理システムの構成を示した図である。
【図２０】図１９に示した放射線治療管理システムの動作を示したフローチャートである。
【図２１】この発明の実施の形態５における放射線治療管理システムの構成を示した図である。
【図２２】図２１に示した放射線治療管理システムの端末装置の補助具ラベル装置の表示画面の例を示した図である。
【符号の説明】
【００５５】
１０１  端末装置、１０２  医療情報システムサーバ、１０４  画像撮影装置、
１０５  治療計画装置、１０６  補助具作製装置、１０７  放射線治療装置、
１９０１  ワークリストサーバ、２２０１  補助具用ラベル装置。
【図１】
2010020503.tif 000003
【図２】
2010020503.tif 000004
【図３】
2010020503.tif 000005
【図４】
2010020503.tif 000006
【図５】
2010020503.tif 000007
【図６】
2010020503.tif 000008
【図７】
2010020503.tif 000009
【図８】
2010020503.tif 000010
【図９】
2010020503.tif 000011
【図１０】
2010020503.tif 000012
【図１１】
2010020503.tif 000013
【図１２】
2010020503.tif 000014
【図１３】
2010020503.tif 000015
【図１４】
2010020503.tif 000016
【図１５】
2010020503.tif 000017
【図１６】
2010020503.tif 000018
【図１７】
2010020503.tif 000019
【図１８】
2010020503.tif 000020
【図１９】
2010020503.tif 000021
【図２０】
2010020503.tif 000022
【図２１】
2010020503.tif 000023
【図２２】
2010020503.tif 000024